(57)【特許請求の範囲】
【請求項１】
発信時及び／又は着信時の発着信履歴情報を、画面に表示させる表示制御手段を備えると共に、テレビ電話機能を有する携帯電話機であって、
通信時における画像データ及び音声データを、前記発着信履歴情報と関連付けて記憶する記憶手段を備え、
前記表示制御手段は、
前記記憶手段に記憶された前記通信時の画像データ及び音声データに関連付けられた選択画像を、前記発着信履歴情報と対応させて画面に表示させ、
前記記憶手段の前記画像データ及び音声データに関連付けられた前記画面の選択画像が選択されると、該関連付けられた画像データ及び音声データを再生させる、ことを特徴とする携帯電話機。
【請求項２】
請求項１記載の携帯電話機であって、
前記表示制御手段は、前記画像データ及び音声データを前記記憶手段に記憶させるための記憶開始スイッチと、前記画像データ及び音声データの前記記憶手段への記憶を終了させるための記憶終了スイッチと、を画面に表示させる、ことを特徴とする携帯電話機。
【請求項３】
請求項１記載の携帯電話機であって、
前記表示制御手段は通信開始を検出すると、前記記憶手段への前記画像データ及び音声データの記憶を自動的に開始させる、ことを特徴とする携帯電話機。
【請求項４】
請求項３記載の携帯電話機であって、
前記表示制御手段は通信終了を検出すると、前記記憶手段への前記画像データ及び音声データの記憶を自動的に停止させる、ことを特徴とする携帯電話機。    
【請求項５】
請求項１記載の携帯電話機であって、
前記表示制御手段は、前記記憶手段による記憶時間を設定するための画面を表示させ、
前記記憶手段は、前記設定された記憶時間に基づいて、前記画像データ及び音声データの記憶を開始し、停止する、ことを特徴とする携帯電話機。
【請求項６】
発信時及び／又は着信時の発着信履歴情報を、画面に表示させる履歴表示工程を含むと共に、テレビ電話機能を有する携帯電話機の制御方法であって、
通信時における画像データ及び音声データを、前記発着信履歴情報と関連付けて記憶する記憶工程と、
前記履歴表示工程において、前記記憶工程で記憶された前記通信時の画像データ及び音声データに関連付けられた選択画像を、前記発着信履歴情報と対応させて画面に表示させる工程と、
前記履歴表示工程で画面に表示された、前記画像データ及び音声データに関連付けられた前記選択画像が選択されると、該関連付けられた画像データ及び音声データを再生させる選択再生工程と、を、含む、
ことを特徴とする携帯電話機の制御方法。
【請求項７】
請求項６記載の携帯電話機の制御方法であって、
前記記憶工程における前記画像データ及び音声データの記憶時間を設定する記憶時間設定工程と、
前記記憶時間設定工程で設定された前記記憶時間に基づいて、前記画像データ及び音声データの記憶を開始し、停止する記憶開始停止工程と、を含む、ことを特徴とする携帯電話機の制御方法。
【発明の詳細な説明】
【技術分野】
【０００１】
本発明は、テレビ電話機能を有する携帯電話機及びその制御方法に関するものであり、より詳細には、通話時の画像データ及び／又は音声データを、発着信履歴情報と対応させて表示させる、携帯電話機及びその制御方法に関するものである。
【背景技術】
【０００２】
近年のカメラ搭載及び動画像通信の携帯電話端末の人気等により、テレビ電話の使用率が急速に高まっている。任意の場所で相手の顔等を見ながら対話出来る便利さが人気の理由となっている。
【０００３】
ところで、通話相手先との間の動画像通信手段を有するテレビ電話の発信履歴／着信履歴に表示される発着信履歴情報は、従来の音声通信のみの電話と同様で、個人電話帳データベースに登録されている、通信相手先の名前、電話番号、及び電話発着信時の日時のみであり、物足りなさが感じられる。そうした中で、ユーザーが以前にテレビ電話で話した通信相手先の名前、電話番号、及び通信日時の発着信履歴情報に対応させて、相手との通信中の送受信動画データ／音声データを、発着信履歴情報の画面中で確認できるような画面表示が望まれている。
【０００４】
一方で、従来、音声通信時の通信内容の録音／再生機能を有する携帯電話機が知られている（例えば、特許文献１参照）。また、通信時の会話の様子が記録できるテレビ電話機能付き携帯電話機が知られている（例えば、特許文献２参照）。さらに、発着信履歴データに画像データや位置データを関連させて蓄積可能な無線通信端末装置が知られている（例えば、特許文献３参照）。携帯電話機以外の固定ビデオフォンにて、履歴情報と共に送受信される映像データ及び音声データを記録するデータ記録方法が知られている（例えば、特許文献４参照）。
【特許文献１】特開平１０−２７１０６１号公報
【特許文献２】特開２００３−３４８２２２号公報
【特許文献３】特開２００３−１２５４５７号公報
【特許文献４】特開平１１−０９８４４３号公報
【発明の開示】
【発明が解決しようとする課題】
【０００５】
しかしながら、上記従来技術において、通信中の送受信通信動画データ／音声データが、単に、メモリ内に通常の撮影画像やダウンロード画像等と一緒保存されているだけである。したがって、発着信履歴情報に対応させて、相手との通信中の送受信動画データ／音声データを、発着信履歴情報の画面中で確認できるような画面表示について、何ら開示されておらず、この点で利便性に欠けるものと思われる。                                                            
【０００６】
本発明は、このような問題点を解決するためになされたものであり、ユーザーの利便性を向上させた携帯電話機及びその制御方法を提供することを主たる目的とする。
【課題を解決するための手段】
【０００７】
上記目的を達成するための本発明の一態様は、発信時及び／又は着信時の発着信履歴情報を、画面に表示させる表示制御手段を備えると共に、テレビ電話機能を有する携帯電話機であって、通信時における画像データ及び／又は音声データを、前記発着信履歴情報と関連付けて記憶する記憶手段を備え、前記表示制御手段は、前記記憶手段に記憶された前記通信時の画像データ及び／又は音声データに関連付けられた選択画像を、前記発着信履歴情報と対応させて画面に表示させる、ことを特徴とする携帯電話機である。この一態様によれば、ユーザーの利便性を向上させることができる。
【０００８】
他方、上記目的を達成するための本発明の一態様は、発信時及び／又は着信時の発着信履歴情報を、画面に表示させる履歴表示工程を含むと共に、テレビ電話機能を有する携帯電話機の制御方法であって、通信時における画像データ及び／又は音声データを、前記発着信履歴情報と関連付けて記憶する記憶工程を含み、前記履歴表示工程において、前記記憶工程で記憶された前記通信時の画像データ及び／又は音声データに関連付けられた選択画像を、前記発着信履歴情報と対応させて画面に表示させる、ことを特徴とする携帯電話機の制御方法であってもよい。この一態様によれば、ユーザーの利便性を向上させることができる。
【発明の効果】
【０００９】
本発明によれば、ユーザーの利便性を向上させることができる。
【発明を実施するための最良の形態】
【００１０】
以下、本発明を実施するための最良の形態について、添付図面を参照しながら一実施例を挙げて説明する。図１は、本発明の一実施例に係る携帯電話機の外観を示す図である。図２は、本発明の一実施例に係る携帯電話機のシステム構成の概略を示すブロック図である。
【００１１】
本実施例に係る携帯電話機１は、相手側の携帯電話機１との間で、双方の画像及び音声を送受信しつつ、会話が可能となる、いわゆるテレビ電話機能を有している。また、携帯電話機１は、キー操作部２と、カメラ３と、液晶表示部４と、マイク５と、スピーカー６と、レシーバー７と、制御部８と、記憶部９と、無線部１０、時計部１１と、を有している。
【００１２】
キー操作部２には、複数のキー（発信キー、着信キー、ダイヤルキー、ファンクションキー等）が配置されており、ユーザーのキー操作に応じて、携帯電話機１の各種操作が可能となっている。カメラ９は、ＣＣＤセンサやＣＭＯＳセンサ等から構成されており、被写体を撮影し、その撮影画像を取り込むことができる。液晶表示部４は、時間、各種設定画面、発着信履歴情報等のテキスト、撮影画像、受信画像等を表示することができる。なお、液晶を用いた液晶表示部４の代わりに、有機又は無機ＥＬディスプレイ等の任意の表示装置を用いることが可能である。
【００１３】
マイク５は、音声を収音する機能を有しており、音声通話、音声録音の際に使用される。スピーカー６は、音声を出力する機能を有しており、着信音データ、通話時の音声データ、録音音声データ、受信音声データ等を再生させる。レシーバー７は、いわゆる受話器の機能を有しており、音声通話に用いることができる。
【００１４】
制御部８には、キー操作部２、カメラ３、液晶表示部４、マイク５、スピーカー６、レシーバー７、記憶部８、無線部１０、及び時計部１１が、Ａ／Ｄ変換回路、Ｄ／Ａ変換回路等のインタフェース部を介して、夫々接続されている。また、制御部８は、携帯電話機１の中核をなしており、キー操作部２のキー操作に応じて、各部３、４、５、６、７、８、１０、１１の制御を行っている。
【００１５】
制御部８は、主要なハードウェア構成として、制御処理、演算処理等を行うＣＰＵ８ａと、ＣＰＵ８ａによって実行される制御プログラム、演算プログラム等を格納するＲＯＭ８ｂと、処理データを一時的に格納等するＲＡＭ８ｃと、を有しており、ベースバンド機能を有している。
【００１６】
制御部８は、例えば、テレビ電話機能を実行開始させると、カメラ３に電力を供給し起動させ、カメラ３の撮影動作を開始させる制御を行う。また、制御部８は、カメラ３により撮影された自写画像等の撮影画像に対して周知の画像処理を行い、この画像処理された撮影画像を液晶表示部４に表示させる。また、制御部８は、この撮影画像の圧縮処理等を行うことで、送信画像データに変換する。
【００１７】
さらに、制御部８は、マイク５から入力される音声データを、Ａ／Ｄ変換および圧縮処理を行うことで、送信音声データに変換する。そして、制御部８は、変換された送信画像データ及び送信音声データを、無線部１０及び通信網を介して相手先の携帯電話機１へ送信する。相手側の携帯電話機１は、これら送信画像データ及び送信音声データを受信し、画像及び音声を再生する。
【００１８】
一方で、制御部８は、相手側の携帯電話機１から無線部１０を介して受信した、受信画像データに対して画像処理を行い、液晶表示部４に表示させる。さらに、制御部８は、相手側の携帯電話機１から無線部１０を介して受信した、受信音声データに対してＤ／Ａ変換処理を行い、スピーカー６から音声出力させる。このようにして、双方の携帯電話機１のテレビ電話機能が実行される。
【００１９】
記憶部（メモリ）９は、各種のデータを記憶することができる。記憶部９は、設定格納部９ａと、履歴情報格納部９ｂと、データ格納部９ｃと、アドレス格納部９ｄと、を有している。設定格納部９ａには、日時、着信音、プルフィール、使用機能等の各種の設定情報が記憶される。
【００２０】
履歴情報格納部９ｂには、発信時及び着信時の発着信履歴情報（例えば、履歴テキストデータ１、履歴テキストデータ２、〜履歴テキストデータｎ）が記憶される。ここで、各履歴テキストデータｎは、例えば、通信が行われた年月日、時刻、相手先の名前、電話番号等のテキストデータからなる。
【００２１】
データ格納部９ｃには、通信時において送受信した動画像データ及び音声データ（例えば、（送信動画データ１、送信音声データ１、受信動画データ１、受信音声データ１）、（送信動画データ２、送信音声データ２、受信動画データ２、受信音声データ２）、〜（送信動画データｎ、送信音声データｎ、受信動画データｎ、受信音声データｎ））を記憶する。
【００２２】
また、履歴情報格納部９ｂの発着信履歴情報（履歴テキストデータｎ）と、データ格納部９ｃの動画像データ及び音声データ（送信動画データｎ、送信音声データｎ、受信動画データｎ、受信音声データｎ）とは、関連付けて（対応付けて）記憶されている。アドレス格納部９ｄには、名前、住所、電話番号、Ｅメイルアドレス、等のアドレス情報が格納されている。
【００２３】
無線部１０は、アンテナ１０ａを介して送受信する電波の復変調する機能、送受信データの時分割制御する機能等を有しており、相手側の携帯電話機１との間で通信が可能である。時計部１１は、経過時間を計測するタイマー機能を有しており、現在の年月日、時刻、時間等の時間データを制御部８に対して出力する。
【００２４】
ところで、通信時の送受信画像データ及び音声データが保存され、発着信履歴情報が画面に表示される際、この発着信履歴情報に対応させて、その通信時に送受信画像データ及び音声データに関連付けられた選択画像が表示され（図６）、さらに、その選択画像を選択したとき、その関連付けられた送受信画像データ及び音声データが簡易に再生（図７）される機能（以下、単に表示再生機能と称す）があると、ユーザーにとって特に便宜である。そこで、本実施例に係る携帯電話機１は、上述の表示再生機能を有するように構成されている。
【００２５】
次に、上述の表示再生機能を有する、本実施例に係る携帯電話機１の制御処理フローについて、詳細に説明する。図３は、本実施例に係る携帯電話機１の制御処理フローの一例を示すフローチャートである。
【００２６】
まず、制御部８は、キー操作部２で所定のキー操作が行われると、表示再生機能を実行させるか否かの設定画面を、液晶表示部４に表示させる（図４）。この設定画面（テレビ電話動画像の履歴確認用保存設定）において、ユーザーは、「ＯＮ」と「ＯＦＦ」とを、キー操作部２を介して選択することができる。キー操作部２により設定画面の「ＯＮ」が選択されると、制御部８はキー操作部２からの操作情報「ＯＮ」に基づいて、表示再生機能を設定、実行させる（Ｓ１００）。一方、キー操作部２により設定画面の「ＯＦＦ」が選択されると、制御部８は、キー操作部２からの操作情報「ＯＦＦ」に基づいて、表示再生機能を実行させない。
【００２７】
次に、キー操作部２に対して、テレビ電話機能を実行させる発着信操作が行われると（Ｓ１１０のＹＥＳ）、制御部８はテレビ電話機能を実行させ、テレビ電話通信を開始する（Ｓ１２０）。
【００２８】
その後、制御部８は、テレビ電話通信時における送受信動画像データ（送信動画データ及び受信動画データ）及び音声データの、記憶部９のデータ格納部９ｃへの記憶を開始させるための設定画面を、液晶表示部４に表示させる（図５）。
【００２９】
この設定画面において、液晶表示部４は、現在の受信している受信動画像データに重畳させて、自写の送信動画像データを画面下部に表示させる。さらに、液晶表示部４は、送受信動画像データ及び音声データの記憶部９への記憶を開始させる、「保存開始」のスイッチ（記憶開始スイッチ）を画面下部に表示する。
【００３０】
液晶表示部４の設定画面において、「保存開始」のスイッチが、キー操作部２を介して選択されると（Ｓ１３０のＹＥＳ）、制御部８は、キー操作部２からの操作情報に基づいて、通信時における送受信動画像データ及び音声データの、記憶部９のデータ格納部９ｃへの記憶を開始させる（Ｓ１４０）。これにより、ユーザーは、任意のタイミングで、通信時における送受信動画像データ及び音声データの記憶を開始させることができ、ユーザーの利便性が向上する。
【００３１】
続いて、制御部８は、液晶表示部４の設定画面における「保存開始」のスイッチを、「保存終了」のスイッチ（記憶終了スイッチ）へ切り替えて表示させる（図５）。液晶表示部４の設定画面において、「保存終了」のスイッチが、キー操作部２を介して選択されると、制御部８は、キー操作部２からの操作情報に基づいて、通信時における送受信動画像データ及び音声データの、記憶部９のデータ格納部９ｃへの記憶を終了させる（Ｓ１５０）。これにより、ユーザーは、任意のタイミングで、通信時における送受信動画像データ及び音声データの記憶を、終了させることができ、ユーザーの利便性が向上する。
【００３２】
さらに、キー操作部２に対して、テレビ電話機能を終了させる終了操作が行われると、制御部８は、キー操作部２からの操作情報に基づいてテレビ電話通信を終了させる（Ｓ１６０）。次に、制御部８は、記憶部９のアドレス格納部９ｄからの通信相手先情報と、時計部１１から取得した時刻データと、基づいて、通信相手先の名前、電話番号、通信日時等の発着信履歴情報を生成し、生成された発着信履歴情報と、通信時の送受信動画像データ及び音声データとを、関連付けて記憶部９に記憶させ（記憶工程）（Ｓ１７０）、後述の（Ｓ２１０）へ移行する。これにより、発着信履歴画面において、発着信履歴情報と、送受信画像データ及び音声データに関連付けされた選択画像と、を対応させて表示（図６）させることができる。
【００３３】
なお、キー操作部２に対して、テレビ電話機能を実行させる発着信操作が行われず、単なる着信操作のみが行われたとき（Ｓ１１０のＮＯ）、制御部８は通常の音声通話を開始し（Ｓ１８０）、後述の（Ｓ１９０）へ移行する。また、液晶表示部４の設定画面において、「保存開始」のスイッチが、キー操作部２を介して選択されないとき（Ｓ１３０のＮＯ）、後述の（Ｓ１９０）へ移行する。
【００３４】
キー操作部２に対して、電話通信を終了させる終了操作が行われると、制御部８は、キー操作部２からの操作情報に基づいて電話通信を終了させる（Ｓ１９０）。このとき、制御部８は、通信相手先の名前、電話番号、通信日時等の発着信履歴情報だけを、記憶部９の履歴情報格納部９ｂに記憶させ（Ｓ２００）、後述の（Ｓ２１０）へ移行する。
【００３５】
キー操作部２に対して所定のキー操作が行われ、制御部８は、そのキー操作部２からの操作情報に基づいて、発信履歴情報及び着信履歴情報（発着信履歴情報）のうちいずれを、液晶表示部４に表示させるか選択を行う（Ｓ２１０）。
【００３６】
制御部８は、選択された発信履歴情報又は着信履歴情報に関連付けされた送受信動画像データ及び音声データが、記憶部９のデータ格納部９ｃに記憶されていると判断したとき（Ｓ２２０のＹＥＳ）、発着信履歴情報を表示する履歴情報画面（図６）を、液晶表示部４に表示させる（履歴表示工程）（Ｓ２３０）。
【００３７】
履歴情報画面において、年月日時、相手先の電話番号及び名前からなる発着信履歴情報と、その通信時に記憶された送受信動画像データ及び音声データに関連付けられた選択画像と、が対応させて表示される。なお、この選択画像としては、例えば、送受信動画像データから抽出した静止画像又は動画像が表示される。通信時に送受信動画像データ及び音声データが記憶されていない場合は、履歴情報画面において発着信履歴情報のみが表示される。
【００３８】
ユーザーは、キー操作部２のキー操作を介して、液晶表示部４に表示された履歴情報画面において、確認したい発着信履歴情報に対応した選択画像を選択する（Ｓ２４０）。制御部８は、キー操作部２により選択された選択画像に関連付けされた送受信動画像データを、液晶表示部４に表示させ（図７）、スピーカー６から選択画像に関連付けされた音声データを出力させ（選択再生工程）、本制御処理を終了する。
【００３９】
これにより、ユーザーは、発着信履歴情報に基づいて、その発着信時における送受信動画像データ及び音声データを、容易に再確認することができる。例えば、確認したい発着信履歴情報に対応する選択画像を、簡易に選択するだけで、その通話時の相手の容姿、会話内容等を即座に確認することができるため、非常に利便性が高い。
【００４０】
一方、制御部８は、選択された発信履歴情報又は着信履歴情報に関連付けされた送受信動画像データ及び音声データが、記憶部９のデータ格納部９ｃに記憶されていないと判断したとき（Ｓ２２０のＮＯ）、液晶表示部４に通話開始日時、通話相手先情報等の発着信履歴情報（テキスト情報）のみを、表示させ（Ｓ２５０）、本制御処理を終了する。
【００４１】
以上、本実施例に係る携帯電話機１において、制御部８は、発着信履歴情報と、通信時の送受信動画像データ及び音声データとを、関連付けて記憶部９に記憶させる。また、制御部８は、発着信履歴情報と、その通信時に記憶された送受信動画像データ及び音声データに関連付けられた選択画像と、を対応させて表示した履歴情報画面（図６）を、液晶表示部４に表示させる。これにより、ユーザーは、発着信履歴情報を確認するだけでなく、発着信履歴情報に対応する選択画像を簡易に選択するだけで、その通信時の送受信動画像データ及び音声データを、容易に再生し確認できる。すなわち、ユーザーの利便性が向上する。
【００４２】
なお、本発明を実施するための最良の形態について一実施例を用いて説明したが、本発明はこうした一実施例に何等限定されるものではなく、本発明の要旨を逸脱しない範囲内において、上述した一実施例に種々の変形及び置換を加えることができる。
【００４３】
例えば、上記一実施例において、制御部８は、液晶表示部４の設定画面における「保存開始」のスイッチが選択されると、通信時における送受信動画像データ及び音声データの記憶を開始させ、「保存終了」のスイッチが選択されると、この記憶を終了させているが、この記憶動作をタイマー制御等により自動的に行う構成であってもよい。これにより、ユーザーの利便性がより向上する。
【００４４】
図８は、上記記憶動作を自動的に行った携帯電話機１の制御処理フローの一例を示すフローチャートである。
【００４５】
まず、制御部８は、キー操作部２で所定のキー操作が行われると、表示再生機能を実行させるか否かの設定画面を液晶表示部４に表示させる（図４）。そして、制御部８は、この表示再生機能を実行するか否かを、設定画面の「ＯＮ」又は「ＯＦＦ」の選択により決定する。
【００４６】
次に、制御部８は、（Ｉ）通信時間中の全ての送受信動画像データ及び音声データを記憶するための「すべて保存」、又は、（ＩＩ）設定された記憶時間の間だけ送受信画像データ及び音声データを記憶するための「時間指定有り」、のうち、いずれかを選択させる設定画面（図９）を、液晶表示部４に表示させる。そして、液晶表示部４の設定画面（保存時間設定）上において、キー操作部２を介して、（Ｉ）「すべて保存」及び（ＩＩ）「時間指定有り」のうちのいずれかが選択される。
【００４７】
また、キー操作部２を介して、設定画面で（ＩＩ）「時間指定有り」が選択された場合、さらに、この設定画面において、通話開始後に記憶を開始させる設定時間Ｔ１（例えば、５秒後）と、記憶開始後から記憶を継続させる設定時間Ｔ２（例えば、３００秒間）とが、キー操作部２を介して設定される。最後に、設定画面の「設定」が、キー操作部２を介して選択されると、制御部８は、上記設定（（Ｉ）「すべて保存」又は（ＩＩ）「時間指定有り」、設定時間Ｔ１、Ｔ２）を、記憶部９の設定格納部９ａに記憶させる（記憶時間設定工程）（Ｓ３００）。
【００４８】
次に、キー操作部２に対して、テレビ電話機能を実行させる発着信操作が行われ、制御部８は、キー操作部２からの操作情報に基づいて、テレビ電話通信を開始させると（Ｓ３１０のＹＥＳ）、記憶部９の設定格納部９ａに記憶された設定が、上記（Ｉ）「すべて保存」であるか否かを判断する（Ｓ３２０）。
【００４９】
制御部８は、記憶部９の設定格納部９ａの設定が上記（Ｉ）「すべて保存」であると判断したとき（Ｓ３２０のＹＥＳ）、発信時又は着信時における通信開始信号を検出して、送受信動画像データ及び音声データの、記憶部９のデータ格納部９ｃへの記憶を開始させる（記憶開始停止工程）（Ｓ３３０）。これにより、通信開始信号が検出され、通信が開始されると、送受信動画像データ及び音声データの記憶が自動的に開始されるため、ユーザーの利便性が向上する。なお、例えば、送受信動画像データ及び音声データの記憶の失敗、忘れ等がない点で便宜である。
【００５０】
その後、キー操作部２に対して、テレビ電話機能を終了させる終了操作が行われると、制御部８は、キー操作部２からの操作情報に基づいてテレビ電話通信を終了させる（Ｓ３４０）。そして、制御部８は、発信時又は着信時における通信終了信号を検出すると、通信時の送受信動画像データ及び音声データの、記憶部９のデータ格納部９ｃへの記憶を終了させ（記憶開始停止工程）（Ｓ３５０）、後述の（Ｓ３９０）へ移行する。これにより、通信終了信号が検出され、通信が終了すると、送受信動画像データ及び音声データの記憶が自動的に終了されるため、ユーザーの利便性が向上する。
【００５１】
一方、制御部８は、記憶部９の設定格納部９ａの設定が上記（Ｉ）「すべて保存」でなく、上記（ＩＩ）「時間指定有り」であると判断したとき（Ｓ３２０のＮＯ）、発信時又は着信時における通信開始信号を検出したときから、記憶部９の設定格納部９ａに記憶された設定時間Ｔ１の経過後に、送受信動画像データ及び音声データの、記憶部９のデータ格納部９ｃへの記憶を開始させる（Ｓ３６０）。
【００５２】
次に、制御部８は、上記送受信動画像データ及び音声データの記憶開始後、記憶部９の設定格納部９ａに記憶された設定時間Ｔ２の経過後に、送受信動画像データ及び音声データの、記憶部９のデータ格納部９ｃへの記憶を終了させる（Ｓ３７０）。このように、通信時の送受信動画像データ及び音声データの記憶時間を、設定時間Ｔ１、Ｔ２により、必要な時間だけに設定することで、記憶部２の記憶容量の節約に繋がる。
【００５３】
その後、キー操作部２に対して、テレビ電話機能を終了させる終了操作が行われると、制御部８は、キー操作部２からの操作情報に基づいてテレビ電話通信を終了させ（Ｓ３８０）、後述の（Ｓ３９０）へ移行する。
【００５４】
制御部８は、記憶部９のアドレス格納部９ｄからの通信相手先情報と、時計部１１から取得した時刻データと、基づいて、通信相手先の名前、電話番号、通信日時等の発着信履歴情報を生成し、生成された発着信履歴情報と、送受信動画像データ及び音声データとを、関連付けて記憶部９に夫々記憶させ（Ｓ３９０）、後述の（Ｓ４３０）へ移行する。
【００５５】
なお、キー操作部２に対して、テレビ電話機能を実行させる発着信操作が行われず、単なる着信操作のみが行われたとき（Ｓ３１０のＮＯ）、制御部８は通常の音声通話を開始する（Ｓ４００）。そして、キー操作部２に対して、通信を終了させる終了操作が行われると、制御部８は、キー操作部２からの操作情報に基づいて電話通信を終了させる（Ｓ４１０）。このとき、制御部８は、通信相手先の名前、電話番号、通信日時等の発着信履歴情報だけを、記憶部９の履歴情報格納部９ｂに記憶させ（Ｓ４２０）、後述の（Ｓ４３０）へ移行する。
【００５６】
ユーザーによって、キー操作部２に対して所定のキー操作が行われると、制御部８は、そのキー操作部２からの操作情報に基づいて、発信履歴情報及び着信履歴情報（発着信履歴情報）のうちいずれを、液晶表示部４に表示させるか選択を行う（Ｓ４３０）。
【００５７】
制御部８は、選択された発信履歴情報又は着信履歴情報に関連付けされた送受信動画像データ及び音声データが記憶部９のデータ格納部９ｃに記憶されていると判断したとき（Ｓ４４０のＹＥＳ）、発着信履歴情報を表示する履歴情報画面（図６）を、液晶表示部４に表示させる（Ｓ４５０）。履歴情報画面において、日時、相手先の電話番号及び名前からなる発着信履歴情報と、その通信時に記憶された送受信動画像データ及び音声データに関連付けられた選択画像と、が対応して表示される。
【００５８】
ユーザーは、キー操作部２のキー操作を介して、液晶表示部４に表示された履歴情報画面において、確認したい発着信履歴情報に対応した選択画像を選択する（Ｓ４６０）。制御部８は、キー操作部２により選択された選択画像に関連付けされた送受信動画像データを、発着信履歴情報と共に液晶表示部４に表示させ（図７）、スピーカー６から選択画像に関連付けされた音声データを出力させ、本制御処理を終了する。これにより、ユーザーは、通信時の送受信動画像データ及び音声データを、容易に再確認することができる。
【００５９】
一方、制御部８は、選択された発信履歴情報又は着信履歴情報に関連付けされた送受信動画像データ及び音声データが記憶部９のデータ格納部９ｃに記憶されていないと判断したとき（Ｓ４４０のＮＯ）、液晶表示部４に通話開始日時、通話相手先情報等の発着信履歴情報（テキスト情報）のみを、表示させ（Ｓ４７０）、本制御処理を終了する。
【００６０】
以上、他の実施例に係る携帯電話機１において、制御部８は、記憶部９の設定格納部９ａの設定が上記（Ｉ）「すべて保存」であると判断したとき、送受信動画像データ及び音声データの記憶を自動的に開始させ、その記憶を終了させる。したがって、通信時の送受信動画像データ及び音声データが簡易に記憶でき、ユーザーの利便性が向上する。
【００６１】
また、制御部８は、記憶部９の設定格納部９ａの設定が上記（ＩＩ）「時間指定有り」であると判断したとき、設定時間Ｔ１の経過後に、送受信動画像データ及び音声データの、記憶部９のデータ格納部９ｃへの記憶を開始させ、その記憶開始したときから、設定時間Ｔ２の経過後に、その記憶を終了させる。これにより、通信時の送受信動画像データ及び音声データの記憶時間を、設定時間Ｔ１、Ｔ２により、必要な時間だけに設定することで、記憶部２の記憶容量の節約に繋がる。すなわち、発着信履歴情報に対応する選択画像を簡易に選択し、その通信時の送受信動画像データ及び音声データを容易に再生させ確認できつつ、記憶部２の記憶容量の節約にも繋げることができる。
【００６２】
また、上記実施例において、記憶部９のデータ格納部９ｃには、通信時において送受信した動画像データが格納されているが、通信時において送受信した静止画像データ格納されてもよい。この場合、制御部８は、キー操作部２により選択された選択画像に関連付けされた送受信静止画像データを、液晶表示部４に表示させてもよい。
【００６３】
なお、上記実施例において、制御部８が特許請求の範囲に記載の表示制御手段に相当し、記憶部９が特許請求の範囲に記載の記憶手段に相当している。
【図面の簡単な説明】
【００６４】
【図１】本発明の一実施例に係る携帯電話機の外観を示す図である。
【図２】本発明の一実施例に係る携帯電話機のシステム構成の概略を示すブロック図である。
【図３】本発明の一実施例に係る携帯電話機の制御処理フローの一例を示すフローチャートである。
【図４】液晶表示部に表示される、表示再生機能を実行させるか否かの設定画面の一例を示す図である。
【図５】液晶表示部に表示される、送受信動画像データ及び音声データの、記憶部のデータ格納部への記憶を開始させるための設定画面の一例を示す図である。
【図６】発着信履歴情報と送受信動画像データ及び音声データに関連付けられた選択画像とが対応して表示される、液晶表示部の履歴情報画面の一例を示す図である。
【図７】液晶表示部に表示される、選択画像に関連付けされた送受信動画像データを、発着信履歴情報と共に表示させ画面の一例である。
【図８】記憶動作を自動的に行う、携帯電話機の制御処理フローの一例を示すフローチャートである。
【図９】液晶表示部に表示される、「すべて保存」及び「時間指定有り」のうちいずれかを選択させ、設定時間を設定するための設定画面の一例を示す図である。
【符号の説明】
【００６５】
１    携帯電話機
２    キー操作部
３    カメラ
４    液晶表示部
５    マイク
６    スピーカー
７    レシーバー
８    制御部（表示制御手段）
９    記憶部（記憶手段）
９ａ  設定格納部
９ｂ  履歴情報格納部
９ｃ  データ格納部
９ｄ  アドレス格納部
【図１】
0004983656.tif 000002
【図２】
0004983656.tif 000003
【図３】
0004983656.tif 000004
【図４】
0004983656.tif 000005
【図５】
0004983656.tif 000006
【図６】
0004983656.tif 000007
【図７】
0004983656.tif 000008
【図８】
0004983656.tif 000009
【図９】
0004983656.tif 000010